(57)【要約】【課題】作成処理の途中で異常が発生した場合で、その異常カードを新規のカードと混在させて再度セットした場合でも、新規のカードと異常カードを自動的に識別して、新規のカードに対する処理と異常カードに対する継続処理の両方が行なえるカード作成装置を提供する。【解決手段】ＩＣチップを内蔵したＩＤカードを適宜搬送しながら、当該ＩＤカードのＩＣチップに対し個人情報や顔画像などを書込むとともに、カード表面に対し当該個人情報に対応した文字情報や顔画像などを印刷し、その表面に保護膜を形成するカード作成装置において、作成処理の途中でジャムなどの異常が発生した場合、その異常カードを再度カード取出部にセットして処理を再開することで、既に処理済の処理部はスキップして搬送のみ行ない、未処理の処理部から処理を実行させる。【選択図】      図２
2006178650.tif 000002
【特許請求の範囲】
【請求項１】
あらかじめ少なくとも固有の識別情報が記憶されている記憶手段を内蔵したカードを取出す取出手段と、
この取出手段により取出されたカードの前記記憶手段から前記識別情報を読出す読出手段と、
この読出手段により読出された識別情報に対応するあらかじめ用意された少なくとも個人情報を前記カードの記憶手段に対し書込む書込手段と、
この書込手段による個人情報の書込処理が終了したカードを適宜搬送しながら当該カードの少なくとも一方の面に対し前記個人情報に対応した情報の印刷や保護膜の形成など複数の処理を順次行なう複数の処理手段と、
これら複数の処理手段において異常が発生した場合、その発生した異常を検出する異常検出手段と、
この異常検出手段により異常が検出された場合、当該異常が発生したカードの識別情報と関連付けて異常発生箇所および終了処理情報等を異常情報として記憶しておく異常情報記憶手段と、
前記異常検出手段により異常が検出された場合は処理を中断し、当該異常が検出された処理手段のカードが取り除かれ、当該異常カードが前記取出手段に再度セットされたのに基づき、前記取出手段によるカードの取出処理から再開させる第１の制御手段と、
処理の再開後、前記読出手段により読出された識別情報に基づき前記異常情報記憶手段内の異常情報を参照することにより当該カードが新規のカードか異常カードかを判定する判定手段と、
この判定手段による判定の結果、新規のカードの場合は前記書込手段による個人情報の書込処理から実行させ、異常カードの場合は前記異常情報記憶手段内の異常情報に基づき前記複数の処理手段のうち既に処理済の処理手段はスキップして未処理の処理手段から処理を実行させる第２の制御手段と、
を具備したことを特徴とするカード作成装置。
【請求項２】
前記複数の処理手段は、カードの少なくとも一方の面に対し前記個人情報に対応した顔画像を印刷する第１の印刷手段と、カードの少なくとも一方の面に対し前記個人情報に対応した文字情報を印刷する第２の印刷手段と、顔画像および文字情報が印刷されたカードの少なくとも一方の面に対し保護膜を形成する保護膜形成手段と、保護膜を形成されたカードを集積する集積手段とを有して構成されることを特徴とする請求項１記載のカード作成装置。
【請求項３】
あらかじめ少なくとも固有の識別情報が記憶されている記憶手段を内蔵したカードを取出手段により取出す取出ステップと、
この取出ステップにより取出されたカードの前記記憶手段から前記識別情報を読出手段により読出す読出ステップと、
この読出ステップにより読出された識別情報に対応するあらかじめ用意された少なくとも個人情報を前記カードの記憶手段に対し書込手段により書込む書込ステップと、
この書込ステップによる個人情報の書込処理が終了したカードを適宜搬送しながら当該カードの少なくとも一方の面に対し前記個人情報に対応した情報の印刷や保護膜の形成など複数の処理を複数の処理手段により順次行なう複数の処理ステップと、
これら複数の処理ステップにおいて異常が発生した場合、その発生した異常を異常検出手段により検出する異常検出ステップと、
この異常検出ステップにより異常が検出された場合、当該異常が発生したカードの識別情報と関連付けて異常発生箇所および終了処理情報等を異常情報として異常情報記憶手段に記憶しておく異常情報記憶ステップと、
前記異常検出ステップにより異常が検出された場合は処理を中断し、当該異常が検出された処理ステップのカードが取り除かれ、当該異常カードが前記取出手段に再度セットされたのに基づき、前記取出ステップによるカードの取出処理から再開させる第１の制御ステップと、
処理の再開後、前記読出ステップにより読出された識別情報に基づき前記異常情報記憶手段内の異常情報を参照することにより当該カードが新規のカードか異常カードかを判定する判定ステップと、
この判定ステップによる判定の結果、新規のカードの場合は前記書込ステップによる個人情報の書込処理から実行させ、異常カードの場合は前記異常情報記憶手段内の異常情報に基づき前記複数の処理ステップのうち既に処理済の処理ステップはスキップして未処理の処理ステップから処理を実行させる第２の制御ステップと、
を具備したことを特徴とするカード作成方法。
【発明の詳細な説明】
【技術分野】
【０００１】
本発明は、たとえば、ＩＣチップを内蔵したＩＤカードを適宜搬送しながら、当該ＩＤカードのＩＣチップに対し個人情報や顔画像などを書込むとともに、カード表面に対し当該個人情報に対応した文字情報や顔画像などを印刷し、その表面に保護膜を形成するカード作成装置およびカード作成方法に関する。
【背景技術】
【０００２】
従来、この種のカード作成装置として、ＩＤカードに内蔵されたＩＣチップに個人情報などを書込むとともに、カード表面に当該個人情報に対応した文字や画像などを印刷するものが知られている（たとえば、特許文献１参照）。
【０００３】
このようなカード作成装置において、作成処理の途中でジャムなどの異常が発生した場合、その異常カードを取り除いて廃棄し、異常発生箇所よりも下流のＩＤカードは作成を継続して処理を全て完了させ、異常発生箇所より上流のＩＤカードは異常解除後に復帰してから作成を継続して処理を全て完了させていたが、異常カードについては新たに新規のＩＤカードをホッパから取出して最初から各処理を実施している（たとえば、特許文献２参照）。
【特許文献１】特開２００３−９９７１８号公報
【特許文献２】特開２００１−１８０１６１号公報
【発明の開示】
【発明が解決しようとする課題】
【０００４】
従来は、作成処理の途中でジャムなどの異常が発生した場合、その異常カードは異常発生時点までの処理状況が良好であったとしても廃棄していたため、ＩＤカードおよび処理途中までの使用材料等（たとえば、異常発生が印刷途中であれば、印刷途中までのインクやインクリボン等）が無駄になっている。
【０００５】
そこで、本発明は、作成処理の途中で異常が発生した場合で、その異常カードを新規のカードと混在させて再度セットした場合でも、新規のカードと異常カードを自動的に識別して、新規のカードに対する処理と異常カードに対する継続処理の両方が行なえるカード作成装置およびカード作成方法を提供することを目的とする。
【課題を解決するための手段】
【０００６】
本発明のカード作成装置は、あらかじめ少なくとも固有の識別情報が記憶されている記憶手段を内蔵したカードを取出す取出手段と、この取出手段により取出されたカードの前記記憶手段から前記識別情報を読出す読出手段と、この読出手段により読出された識別情報に対応するあらかじめ用意された少なくとも個人情報を前記カードの記憶手段に対し書込む書込手段と、この書込手段による個人情報の書込処理が終了したカードを適宜搬送しながら当該カードの少なくとも一方の面に対し前記個人情報に対応した情報の印刷や保護膜の形成など複数の処理を順次行なう複数の処理手段と、これら複数の処理手段において異常が発生した場合、その発生した異常を検出する異常検出手段と、この異常検出手段により異常が検出された場合、当該異常が発生したカードの識別情報と関連付けて異常発生箇所および終了処理情報等を異常情報として記憶しておく異常情報記憶手段と、前記異常検出手段により異常が検出された場合は処理を中断し、当該異常が検出された処理手段のカードが取り除かれ、当該異常カードが前記取出手段に再度セットされたのに基づき、前記取出手段によるカードの取出処理から再開させる第１の制御手段と、処理の再開後、前記読出手段により読出された識別情報に基づき前記異常情報記憶手段内の異常情報を参照することにより当該カードが新規のカードか異常カードかを判定する判定手段と、この判定手段による判定の結果、新規のカードの場合は前記書込手段による個人情報の書込処理から実行させ、異常カードの場合は前記異常情報記憶手段内の異常情報に基づき前記複数の処理手段のうち既に処理済の処理手段はスキップして未処理の処理手段から処理を実行させる第２の制御手段とを具備している。
【０００７】
また、本発明のカード作成方法は、あらかじめ少なくとも固有の識別情報が記憶されている記憶手段を内蔵したカードを取出手段により取出す取出ステップと、この取出ステップにより取出されたカードの前記記憶手段から前記識別情報を読出手段により読出す読出ステップと、この読出ステップにより読出された識別情報に対応するあらかじめ用意された少なくとも個人情報を前記カードの記憶手段に対し書込手段により書込む書込ステップと、この書込ステップによる個人情報の書込処理が終了したカードを適宜搬送しながら当該カードの少なくとも一方の面に対し前記個人情報に対応した情報の印刷や保護膜の形成など複数の処理を複数の処理手段により順次行なう複数の処理ステップと、これら複数の処理ステップにおいて異常が発生した場合、その発生した異常を異常検出手段により検出する異常検出ステップと、この異常検出ステップにより異常が検出された場合、当該異常が発生したカードの識別情報と関連付けて異常発生箇所および終了処理情報等を異常情報として異常情報記憶手段に記憶しておく異常情報記憶ステップと、前記異常検出ステップにより異常が検出された場合は処理を中断し、当該異常が検出された処理ステップのカードが取り除かれ、当該異常カードが前記取出手段に再度セットされたのに基づき、前記取出ステップによるカードの取出処理から再開させる第１の制御ステップと、処理の再開後、前記読出ステップにより読出された識別情報に基づき前記異常情報記憶手段内の異常情報を参照することにより当該カードが新規のカードか異常カードかを判定する判定ステップと、この判定ステップによる判定の結果、新規のカードの場合は前記書込ステップによる個人情報の書込処理から実行させ、異常カードの場合は前記異常情報記憶手段内の異常情報に基づき前記複数の処理ステップのうち既に処理済の処理ステップはスキップして未処理の処理ステップから処理を実行させる第２の制御ステップとを具備している。
【発明の効果】
【０００８】
本発明によれば、作成処理の途中で異常が発生した場合で、その異常カードを新規のカードと混在させて再度セットした場合でも、新規のカードと異常カードを自動的に識別して、新規のカードに対する処理と異常カードに対する継続処理の両方が行なえるカード作成装置およびカード作成方法を提供できる。
【発明を実施するための最良の形態】
【０００９】
以下、本発明の実施の形態について図面を参照して説明する。  
図１は、本発明の実施の形態に係るカード作成装置の構成を概略的に示すものである。このカード作成装置は、取出手段としてのカード取出部１１、読出手段および書込手段としてのカードリーダライタ部１２、処理手段（第１の印刷手段）としての印画部１３、処理手段（第２の印刷手段）としての印字部１４、処理手段（保護膜形成手段）としての保護膜転写部１５、処理手段（集積手段）としての集積部１６、搬送手段としてのカード搬送路１７、オペレータが各種操作を行なうオペレータパネル１８、および、全体的な制御を司る制御手段としての制御部１９を有して構成されている。
【００１０】
カード取出部１１は、図示しない脱着可能なカセットを有し、このカセット内に処理対象となる複数枚のＩＤカードがセット（装填）され、制御部１９からの制御信号に応じてカセット内にセットされたＩＤカードを１枚ずつ取出してカード搬送路１７へ送り出す。  
ここに、本発明の実施の形態に係るＩＤカードは、たとえば、記憶手段としてのＩＣチップを内蔵したいわゆるＩＣカードであり、あらかじめ少なくとも固有の識別情報としてＩＤ番号が記憶されているものとする。
【００１１】
カードリーダライタ部１２は、カード搬送路１７に送り出されたＩＤカードに内蔵されたＩＣチップにからそこに記憶されている情報を読取る読取機能、および、必要に応じてＩＣチップに対し情報を書込む書込機能を有して構成される。ここに、ＩＣチップに対し書込む情報には、当該ＩＤカードを所持する利用者の住所、氏名などの個人情報（文字情報）の他に、当該利用者の少なくとも顔を含む画像（以下、顔画像という）が含まれるものとする。
【００１２】
印画部１３は、カード搬送路１７により搬送されてくるＩＤカードの一方の面に対し当該利用者の顔画像を印刷する。印字部１４は、当該ＩＤカードの一方の面に個人情報に対応した文字情報を印刷する。
【００１３】
保護膜転写部１５は、印画部１３で顔画像が印刷されて、印字部１４で文字情報が印刷されたＩＤカードの表面に保護膜を転写形成する。集積部１６は、全ての処理を終了した作成済みのＩＣカードが集積される。また、集積部１６は、排除すべきＩＤカードを集積する図示しないリジェクトスタッカを有する。
【００１４】
カード搬送路１７は、カード取出部１１で取出されたＩＤカードを、カードリーダライタ部１２、印画部１３、印字部１４、および、保護膜転写部１５を通過させて集積部１６まで順次搬送する。
【００１５】
制御部１９は、通信回線２０を介してホスト装置２１に接続されている。ホスト装置２１は、各利用者のＩＤ番号と対応付けて個人情報および顔画像が格納されたデータベース２２を有していて、これらの情報は必要に応じてカード作成装置の制御部１９へ送られる。
【００１６】
このような構成において、オペレータパネル１８で所定の操作を行なうことにより、カード作成処理をスタートさせると、カード取出部１１によりＩＤカードが取出され、カード搬送路１７によりカードリーダライタ部１２に搬送される。カードリーダライタ部１２では、当該ＩＤカードのＩＣチップから情報を読出してＩＤ番号を取得し、制御部１９へ送る。
【００１７】
制御部１９では、カードリーダライタ部１２からのＩＤ番号により、当該ＩＤカードは新規のカードであるか異常カードであるかの判定を行なう。判定の結果、異常カードではなく新規のカードの場合は、カードリーダライタ部１２を介して当該ＩＤカードのＩＣチップに対し、あらかじめホスト装置２１から送られている当該利用者のＩＤ番号に対応する個人情報および顔画像を書込み、ベリファイチェックを実施した後、印画部１３に搬送される。
【００１８】
印画部１３では、搬送されてきたＩＤカードの一方の面に対し、あらかじめホスト装置２１から送られている当該利用者のＩＤ番号に対応する顔画像を印刷し、顔画像の印刷が終了すると、カード搬送路１７により印字部１４に搬送される。印字部１４では、搬送されてきたＩＤカードの一方の面に対し、あらかじめホスト装置２１から送られている当該利用者の個人情報に対応する文字情報が印刷され、文字情報の印刷が終了すると、カード搬送路１７により保護膜転写部１５に搬送される。
【００１９】
保護膜転写部１５では、印画部１３で顔画像が印刷されて、印字部１４で文字情報が印刷されたＩＤカードの表面に保護膜を転写形成し、保護膜の転写形成が終了すると、カード搬送路１７により集積部１６に搬送され、作成処理が全て終了する。
【００２０】
ところで、上記作成処理過程の途中で、たとえば、印字部１４において文字情報の印刷が終了した後、カード搬送路１７により保護膜転写部１５に搬送される途中でカード搬送ジャム（搬送異常）が発生した場合、制御部１９は、図示しないジャムセンサからの信号により当該ジャムの発生を検出する。  
ジャムを検出すると、制御部１９は、本装置の処理を中断するとともに、当該ジャムしたＩＤカード（以降、これを異常カード称する）のＩＣチップ内に記憶されたＩＤ番号と関連付けて異常発生箇所、終了処理情報等を異常情報として異常情報メモリ（異常情報記憶手段）２３に記憶しておく。
【００２１】
そして、オペレータがジャムしたＩＤカード（異常カード）を取り除き、当該ジャムを解除した後、オペレータはオペレータパネル１８に設けられたイニシャルボタンを押下することで本装置を初期化するが、このとき取り除いた異常カードが途中までの印刷工程（印画部１３、印字部１４の各処理）に問題がなく、ジャム時のカード損傷等がなければ、当該異常カードは継続処理可能と判断し、当該異常カードをカード取出部１１に再度セットし、オペレータパネルに設けられた異常カード継続ボタンを押下する。
【００２２】
次に、オペレータは、オペレータパネルに設けられた処理スタートボタンを押下することで、図２および図３に示すフローチャートにしたがって処理が行なわれる。すなわち、処理スタートボタンが押下されると、カード取出部１１によりＩＤカードが取出され（ステップＳ１）、カード搬送路１７によりカードリーダライタ部１２に搬送される。カードリーダライタ部１２では、当該ＩＤカードのＩＣチップから情報を読出してＩＤ番号を取得し（ステップＳ２）、制御部１９へ送る。
【００２３】
制御部１９では、カードリーダライタ部１２からのＩＤ番号により、当該ＩＤカードは新規のカードであるか異常カードであるかの判定を行なう（ステップＳ３）。すなわち、異常情報メモリ２３内の異常情報を参照することにより、カードリーダライタ部１２からのＩＤ番号に対応するＩＤ番号を有する異常情報が存在するか否かを判定する。存在すれば当該ＩＤカードは異常カードであると判定し、存在しなければ当該ＩＤカードは新規のカードであると判定する。
【００２４】
この判定の結果、異常カードではなく新規のカードの場合、制御部１９は、カードリーダライタ部１２を介して当該ＩＤカードのＩＣチップに対し、あらかじめホスト装置２１から送られている当該利用者のＩＤ番号に対応する個人情報および顔画像を書込み、ベリファイチェックを行ない（ステップＳ４）、ステップＳ５に進む。
【００２５】
ステップＳ３での判定の結果、異常カードの場合、制御部１９は、ステップＳ４の処理は行なわず、異常情報メモリ２３から当該異常カードのＩＤ番号に対応する異常情報を取得し（ステップＳ６）、ステップＳ５に進む。
【００２６】
ステップＳ５において、制御部１９は、当該ＩＤカードは印画部１３の処理が終了しているか否かを判定する。すなわち、新規のカードの場合、印画部１３の処理が終了していないので、当該ＩＤカードは印画部１３へ送られる。異常カードの場合、制御部１９は、異常情報メモリ２３から取得した異常情報を参照することで、当該異常カードは印画部１３の処理が終了しているか否かを判定し、終了していなければ印画部１３へ送り、終了していれば印画部１３をスキップして印字部１４へ送る。
【００２７】
印画部１３では、搬送されてきたＩＤカードの一方の面に対し、あらかじめホスト装置２１から送られている当該利用者のＩＤ番号に対応する顔画像を印刷し（ステップＳ７）、顔画像の印刷が終了すると、カード搬送路１７により印字部１４に搬送される。
【００２８】
次に、制御部１９は、当該ＩＤカードは印字部１４の処理が終了しているか否かを判定する（ステップＳ８）。すなわち、新規のカードの場合、印字部１４の処理が終了していないので、当該ＩＤカードは印字部１４へ送られる。異常カードの場合、制御部１９は、異常情報メモリ２３から取得した異常情報を参照することで、当該異常カードは印字部１４の処理が終了しているか否かを判定し、終了していなければ印字部１４へ送り、終了していれば印字部１４をスキップして保護膜転写部１５へ送る。
【００２９】
印字部１４では、搬送されてきたＩＤカードの一方の面に対し、あらかじめホスト装置２１から送られている当該利用者の個人情報に対応する文字情報を印刷し（ステップＳ９）、文字情報の印刷が終了すると、カード搬送路１７により保護膜転写部１５に搬送される。
【００３０】
次に、制御部１９は、当該ＩＤカードは保護膜転写部１５の処理が終了しているか否かを判定する（ステップＳ１０）。すなわち、新規のカードの場合、保護膜転写部１５の処理が終了していないので、当該ＩＤカードは保護膜転写部１５へ送られる。異常カードの場合、制御部１９は、異常情報メモリ２３から取得した異常情報を参照することで、当該異常カードは保護膜転写部１５の処理が終了しているか否かを判定し、終了していなければ保護膜転写部１５へ送り、終了していれば保護膜転写部１５をスキップして集積部１６へ送る。
【００３１】
保護膜転写部１５では、印画部１３で顔画像が印刷されて、印字部１４で文字情報が印刷されたＩＤカードの表面に保護膜を転写形成し（ステップＳ１１）、保護膜の転写形成が終了すると、カード搬送路１７により集積部１６に搬送され（ステップＳ１２）、作成処理が全て終了する。
【００３２】
なお、ジャム処置時にオペレータがジャムしたＩＤカード（異常カード）が傷等により継続処理が不可能と判断した場合、オペレータはオペレータパネル１８に設けられた異常カード廃棄ボタンを押下し、続いてイニシャルボタンを押下する。異常カード廃棄ボタンが押下されると、制御部１９は異常情報メモリ２３内の当該異常カードに対応する異常情報を消去し、本装置が正常状態に復帰後、新規カードがカード取出部１１から取出され、当該異常カードの情報で最初から処理を実行してＩＤカードが作成される。
【００３３】
以上説明したように、上記実施の携帯によれば、作成処理の途中でジャムなどの異常が発生した場合、その異常カードを再度カード取出部にセットして処理を再開することで、新規カードと異常カードを自動的に識別して、既に処理済の処理部はスキップして搬送のみ行ない、未処理の処理部から処理を実行させるものである。  
したがって、作成処理の途中で異常が発生した場合で、その異常カードを新規のカードと混在させて再度セットした場合でも、新規のカードに対する処理と異常カードに対する継続処理の両方が行なえる。
【図面の簡単な説明】
【００３４】
【図１】本発明の実施の形態に係るカード作成装置の構成を概略的に示すブロック図。
【図２】要部の処理の流れを説明するためのフローチャート。
【図３】要部の処理の流れを説明するためのフローチャート。
【符号の説明】
【００３５】
１１…カード取出部（取出手段）、１２…カードリーダライタ部（読出手段、書込手段）、１３…印画部（処理手段、第１の印刷手段）、１４…印字部（処理手段、第２の印刷手段）、１５…保護膜転写部（処理手段、保護膜形成手段）、１６…集積部（処理手段、集積手段）、１７…カード搬送路（搬送手段）、１８…オペレータパネル、１９…制御部（制御手段）、２０…通信回線、２１…ホスト装置、２２…データベース、２３…異常情報メモリ（異常情報記憶手段）。
【図１】
2006178650.tif 000003
【図２】
2006178650.tif 000004
【図３】
2006178650.tif 000005